(57)【要約】      （修正有）【課題】ケース本体、可動ロッド、ラッチ部材及び弾性部材からなるケース型カードモジュールのラッチ装置を提供する。【解決手段】可動ロッド２はケース本体１の通路１０内に挿通し、可動ロッド２の位置決め、推進構造設計によって、可動ロッド２をケース本体１に対向して間隔を取って移動させる。可動ロッド２の作用により、ケース本体１に枢接したラッチ部材３を回転させてケース本体１内に収納する。弾性部材４はケース本体１上に設けて可動ロッド２を通路内を移動させてその状態を維持する。ケース本体１の固定溝１２と弾性部材４の固定構造間の対応と組合せにより、弾性部材４を恒常的にケース本体１に固定させる。可動ロッド２と弾性部材４を補強設計することで、可動ロッド２と弾性部材４の作動時における全体の強度を強化して構造変形が起きる様な状況を回避する。【選択図】図１
0003149436.tif 000002
【実用新案登録請求の範囲】
【請求項１】
ケース型カードモジュールのラッチ装置において、
通路と前記通路に対応する収納溝を有するケース本体と、
前記ケース本体の通路内に挿通する可動ロッドであって、前記可動ロッドは位置決め構造と推進構造を具備し、前記位置決め構造は前記可動ロッドの移動距離を制限し、前記推進構造は溝を凹設して推進構造の両側は何れも前記溝に対応する推進部材を突出させ、各推進部材は第１構造面、第２構造面及び第３構造面を有し、前記推進部材の体積は可動ロッドの体積の１０％〜２０％を占める可動ロッドと、
前記ケース本体と前記溝との間に枢接されるラッチ部材であって、前記ラッチ部材は通路内に位置し、前記可動ロッドの移動によって、前記ラッチ部材が回転して前記収納溝に収納若しくは前記収納溝から離れていくラッチ部材と、
前記ケース本体上に設置して前記通路内に対応して収納され、前記可動ロッドの前記通路内での移動を限定する弾性部材であって、前記弾性部材は前記位置決め構造に対応する位置決めストッパーと補強固定プレートを具備し、前記補強固定プレートは前記ケース本体の一側に固定する弾性部材と、を備え、
前記ケース本体は複数個の固定溝を有し、前記弾性部材は前記固定溝に対応する複数個の固定構造を有し、前記固定溝と固定構造が組合わさることにより、前記弾性部材を安定的にケース本体上に設置して前記通路内に収納することを特徴とするケース型カードモジュールのラッチ装置。
【請求項２】
前記ラッチ部材は２つの回転ピボットを有し、それぞれ前記ケース本体と可動ロッドの溝に枢接することを特徴とする請求項１に記載のケース型カードモジュールのラッチ装置。
【請求項３】
前記ラッチ部材は作動表面を有し、前記ケース本体と前記作動表面の間は弾性部材を傾斜させて設置し、前記弾性部材は前記ラッチ部材を前記収納溝から引き離すことを特徴とする請求項１に記載のケース型カードモジュールのラッチ装置。
【請求項４】
前記作動表面は傾斜した平面であって、前記弾性部材は前記作動表面上に傾斜して設けることを特徴とする請求項３に記載のケース型カードモジュールのラッチ装置。
【請求項５】
前記可動ロッドの位置決め構造は隆起弧面を形成し、前記隆起弧面は複数個の隆起エリアを有し、前記弾性部材の位置決めストッパーは前記隆起弧面に対応する隆起構造を形成することを特徴とする請求項１に記載のケース型カードモジュールのラッチ装置。
【請求項６】
前記隆起構造は前記隆起弧面上に限定され、前記隆起エリアは前記隆起構造に対向して移動し、前記隆起エリアは前記隆起構造を選択的に位置決めすることを特徴とする請求項５に記載のケース型カードモジュールのラッチ装置。
【請求項７】
前記溝は細長い長方形状であることを特徴とする請求項１に記載のケース型カードモジュールのラッチ装置。
【考案の詳細な説明】
【技術分野】
【０００１】
本考案はカードモジュール装置に関し、特に工業用コンピュータのケース内に用いられ、工業用ケースのパネルを固定し始動させるのに便利なケース型カードモジュールのラッチ装置に関する。
【背景技術】
【０００２】
データ処理技術の向上に伴い、一般のオフィスや工場ではコンピュータによって大量且つ煩雑なデータを処理し保存しなければならない。コンピュータは通常回路板をケース内に取り付けるのに、ネジ、ボルト等の部材でケースのフレームプレートをケースに螺合して固定するか、或いは係止部材でケースの側板をケース上に固定する。然しながら、製品設備が軽薄短小のニーズに向かう中で、設計面での考慮が一層困難となり、ボルトで固定する方法には下記の欠点がある。
【０００３】
スペース面では、製品サイズが小型化していく中で、ケースの螺合できるスペースが勢い圧縮され制限されて設計スペースが狭く不足する現象を来たし、設計が困難となる盲点が浮かび上がってきている。組立ての利便性では、ネジ、ボルトでの組立方法とすると、工具で逐一ネジやボルトを外したり締めたりする作業が必要となるため、作業が煩雑である。製造コストでは、ネジ、ボルトでの螺合方法だと、相当数のネジが必要となり、ケースの組立が一層難しくなると同時に、部材の材料コストをも押し上げることとなる。従って、従来のネジでの螺合方法は長期に亙り、コスト、組立て又はスペース使用においてもユーザーや組立て作業員の悩みの種となっている。
【０００４】
以上のことから、上記従来の螺合による固定方法は依然として不便で欠点がある。本考案者は従来の欠点に鑑み、長年の経験と併せて、合理的な設計で上記欠点を効果的に改善する本考案を提示する。
【考案の概要】
【考案が解決しようとする課題】
【０００５】
本考案の目的は工業用コンピュータのパネルをセッティングする際の固定とロックに応用され、前記パネルの固定とセッティングに便利なケース型カードモジュールのラッチ装置を提供することである。ケース本体には複数個の固定溝を有し、弾性部材は固定溝に対応する複数個の固定構造を具備し、固定溝と固定構造との間の組合せによって、弾性部材をケース本体上に固定して設置し、可動ロッドが通路内において弾性部材に対向して移動するよう制限すると共に、位置決め構造を位置決めストッパーに対向して移動させて位置決めをし、工業用ケースのパネルのラッチを解除してオープンにしたり、ロックしてクローズにしたり電源をオンにしたりする。
【０００６】
本考案の別の目的は、ケース本体の固定溝と弾性部材の固定構造との間の組合せによって、ケース型カードモジュールのラッチ装置の組立て作業の難度を低下させると共に、製造組立てコストを低減することができることにある。同時に、可動ロッドが恒常的に移動する状況においても、前記弾性部材はケース本体に保持されて滑落や脱落を防止することができる。
【０００７】
本考案の別の目的は、可動ロッドの推進構造を強化して、可動ロッドが移動する際の構造強度を高め、可動ロッドが効果的に前記ラッチ部材を後押ししてラッチ装置の解除とロック動作を確保することである。同時に、弾性部材の構造を補強設計することにより、構造全体の強度を強化して構造変形が起きる状況を回避し、位置決め構造が位置決めストッパーに対向して位置決めが行えないことを防止する。
【課題を解決するための手段】
【０００８】
上記の目的を達成するために、本考案はケース本体、可動ロッド、ラッチ部材及び弾性部材からなるケース型カードモジュールのラッチ装置を提供する。前記ケース本体は通路と前記通路に対応する収納溝を有する。可動ロッドは前記ケース本体の通路内に挿通し、且つ前記可動ロッドは位置決め構造と推進構造を具備し、前記位置決め構造は前記可動ロッドの移動距離を制限し、前記推進構造は溝を凹設して推進構造の両側は何れも前記溝に対応する推進部材を突出させ、各推進部材は第１構造面、第２構造面及び第３構造面を有し、推進部材の体積は可動ロッドの体積の１０％〜２０％を占める。ラッチ部材は前記ケース本体と前記溝との間に枢接されて通路内に位置し、前記可動ロッドの移動によって、前記ラッチ部材が回転して前記収納溝に収納若しくは前記収納溝から離れていく。弾性部材は前記ケース本体上に設置して前記通路内に対応して収納され、前記可動ロッドが前記通路内を移動するのを制限し、且つ前記弾性部材は前記位置決め構造に対応する位置決めストッパーと補強固定プレートを具備し、前記補強固定プレートは前記ケース本体の一側に固定する。ケース本体は複数個の固定溝を有し、弾性部材は固定溝に対応する複数個の固定構造を有し、固定溝と固定構造が組合わさることにより、弾性部材を安定的にケース本体上に設置して、これによって可動ロッドを通路内に限定する。
【考案の効果】
【０００９】
こうして、可動ロッドが弾性プレートに対向して移動すると、前記位置決め構造は位置決めストッパーに対向して移動して位置決めをし、ラッチ部材を前記収納溝に対向して回転させる。固定溝と固定構造との間の組合せによって、ケース型カードモジュールのラッチ装置の組立て作業が簡略化され、製造コストが低減し、たとえ可動ロッドが恒常的に移動しても、弾性部材は常にケース本体上に保持されて分離することがない。
【００１０】
前記推進部材の構造を強化して、可動ロッドが移動する際の構造強度を高めると、可動ロッドがラッチ部材を効果的に後押しして、ラッチ装置の解除とロック動作を確保する。
【００１１】
弾性部材の構造を補強設計することによって、構造全体の強度を強化して構造変形が起きるような状況を回避し、位置決め構造が位置決めストッパーに対向して位置決めが行えないことを防止する。
【００１２】
本考案が所期の目的を達成するために採用した技術手段と効用を一層理解できるよう、以下本考案に関する詳細説明と添付図面を参照することで、本考案の目的、特徴等が深く具体的に理解されるものと信じるが、添付図面は参考並びに説明用に供したまでで、本考案に制限を加えるものではない。
【図面の簡単な説明】
【００１３】
【図１】本考案によるケース型カードモジュールのラッチ装置のある視角での分解斜視図である。
【図２】本考案によるケース型カードモジュールのラッチ装置の別の視角での分解斜視図である。
【図３】本考案によるケース型カードモジュールのラッチ装置のある視角での組合せ斜視図である。
【図４】本考案によるケース型カードモジュールのラッチ装置の別の視角での組合せ斜視図である。
【図５】本考案によるケース型カードモジュールのラッチ装置を組合せた平面概略図である。
【図６】本考案によるケース型カードモジュールのラッチ装置を組合せて解除してオープン状態とした斜視図である。
【図７】本考案によるケース型カードモジュールのラッチ装置を組合せてロックしてクローズ状態とした斜視図である。
【図８】本考案によるケース型カードモジュールのラッチ装置を組合せて電源をオン状態とした斜視図である。
【考案を実施するための形態】
【００１４】
図１から図５は本考案によるケース型カードモジュールのラッチ装置の具体的実施例の関連図面である。本考案は工業用ケース後側の固定プレート（図示せず）上に組立て、工業用ケースのパネルのオープン解除、ロッククローズ及び電源オンに応用される。ケース型カードモジュールのラッチ装置はケース本体１、可動ロッド２、ラッチ部材３及び弾性部材４からなる。
【００１５】
前記ケース本体１は金属素材で構成されており、その内部に通路１０、前記通路１０に対応する収納溝１１、前記通路１０に対応する複数個の固定溝１２及び前記通路１０に対応する枢設孔１３を具備する。前記通路１０は細長い長方形状をして、前記可動ロッド２を収納する。前記収納溝１１は前記ケース本体１の外部まで貫通して弧状に彎曲した形状となって、前記ラッチ部材３を収納する。前記固定溝１２は前記弾性部材４を固定する。前記枢設孔１３は前記ラッチ部材３の枢接用である。
【００１６】
前記可動ロッド２は金属素材で構成されており、その形状は長方形の棒状である。前記可動ロッド２は前記ケース本体１の通路１０内に対応する様に挿通することによって、通路１０内で往復運動をする。前記可動ロッド２は取っ手部２０と作動ロッド部２１を具備する。前記取っ手部２０は握り持ってプッシュ・プル動作を行うのに便利で、前記作動ロッド部２１は前記通路１０内を移動する。前記作動ロッド部２１は位置決め構造２１０と推進構造２１５を有する。前記位置決め構造２１０は作動ロッド部２１の前端に形成して可動ロッド２の移動距離を制限して、異なる段階での位置決め作用を達成する。本実施例では、位置決め構造は弧状に彎曲した形状で、その表面は隆起弧面２１１を形成し、前記隆起弧面２１１は第１隆起エリア２１２、第２隆起エリア２１３及び第３隆起エリア２１４を有し、互いに間隔を空けて配列して多数のエリアの位置決めをすることができる。前記推進構造２１５は作動ロッド部２１の後端に形成する。前記推進構造２１５は推進部材２１６と溝２１７を具備して互いに対応する。前記推進部材２１６は長い棒状で、パネルの電源スイッチ（図示せず）に当接すると共に、前記ラッチ部材３を後押しし、推進部材２１６は推進構造２１５の両側からそれぞれ外に向かって凸伸させ、各推進部材２１６は第１、第２、第３構造面２１６１、２１６２、２１６３を有する。前記３つの構造面で構成される推進部材２１６の体積は可動ロッド２の体積の１０％〜２０％を占める。第１、第２、第３構造面２１６１、２１６２、２１６３の構造変化を利用した設計によって、前記推進部材２１６の構造を強化し、構造全体の強度を高めて、可動ロッド２が前記ラッチ部材３を効果的に後押しする。前記溝２１７は細長い長方形状で、前記ラッチ部材３を枢設して連結し滑動させる。このようにして、前記推進構造２１５の作用によって、前記ラッチ部材３が回転して前記収納溝１１内に収納されたりそこから離れたりする。
【００１７】
前記ラッチ部材３は金属素材で構成されており、前記本体ケース１上に枢設して通路１０内に位置し、前記可動ロッド２の作動ロッド部２１が前記通路１０を移動することによって、前記ラッチ部材３を効果的に回転させて、前記収納溝１１内に収納したりそこから引き離したりする。前記ラッチ部材３は、ラッチ部３０と枢設部３１で構成される。前記ラッチ部３０は弧状に彎曲した形状のフック構造を形成し、且つ前記収納溝１１に対応する形状で前記収納溝１１に収納する。前記枢設部３１の両側面はそれぞれ２つの回転ピボット３１０、３１１を形成し、前記回転ピボット３１０は前記本体ケース１の枢設孔１３に枢設し、もう１つの回転ピボット３１１は可動式で前記推進構造２１５の溝２１７に枢設することにより、前記２つの回転ピボット３１０、３１１が枢軸の中心となることで、前記ラッチ部材３のラッチ部３０を回転させる。前記ラッチ部材３は前記ラッチ部３０の一側に形成された傾斜平面である作動表面３００をも有している。前記作動表面３００と前記ケース本体１の通路１０との間には弾性部材５を設ける。前記作動表面３００が傾斜角度を有した設計であることで、前記弾性部材５は前記作動表面３００上（図５）に傾斜して設けることができ、前記可動ロッド２の移動と前記回転ピボット３１０、３１１の回転運動を利用すると共に、前記弾性部材５の弾性力による圧縮や伸張によって前記ラッチ部材３を回転過程において、効率的且つスムースに前記収納溝１１内に収納したり、そこから引き離したりする。従って、前記作動表面３００に傾斜角度を有する設計によって、前記弾性部材５と前記ラッチ部材３との間の動作に死角が生じて、前記ラッチ部材３がスムースに回転できなくなって、ラッチ部材３がロック動作を行えなくなる問題を引き起こすことを回避する。
【００１８】
前記弾性部材４は前記ケース本体１に設置し、前記通路１０内に対応する様に収納して、可動ロッド２の作動ロッド部２１が通路１０内で弾性部材２に対向して移動するよう制限して、対向して位置決め動作を行う。前記弾性部材４は位置決めストッパー４０、補強用固定プレート４１及び複数個の固定構造４２を有する。前記位置決めストッパー４０は前記作動ロッド部２１の位置決め構造２１０に対応する。前記位置決めストッパー４０は前記位置決め構造２１０の隆起弧面２１１に対応する隆起構造４００を形成する。前記隆起構造４００は第１、第２、第３隆起エリア２１２、２１３、２１４上に対向する様に位置決めする。前記補強用固定プレート４１は前記位置決めストッパー４０の側辺に形成されて本体ケース１に固定し、弾性部材４の構造全体の強度を強化して、弾性部材４の構造変形が起きる現象を防止することができる。固定構造４２は固定溝１２に対応して組合せて、弾性部材４を効果的且つ安定的にケース本体１に設置すると共に、通路１０内に収納して、作動ロッド部２１を通路１０内に効果的に限定して、予め定めた位置（例：オープン位置、ロック位置又は電源位置）を形成する。
【００１９】
こうして、可動ロッド２の作動ロッド部２１が前記弾性部材４に対向して移動すると、前記位置決め構造２１０の隆起弧面２１１の第１、第２、第３隆起エリア２１２、２１３、２１４は前記位置決めストッパー４０の隆起構造４００に対向して移動する。第１、第２、第３隆起エリア２１２、２１３、２１４が前記隆起構造４００に選択的に位置決めされる動作によって、作動ロッド部２１をオープン位置、ロック位置又は電源位置に位置決めして、工業用ケースのパネルのラッチを解除してオープンにしたり、ロックしてクローズにしたり電源をオンにしたりする。
【００２０】
本考案は効率的に工業用ケースのパネルのラッチを解除してオープンにしたり、ロックしてクローズにしたり電源をオンにしたりする他に、さらにケース型カードモジュールのラッチ装置の組立作業時の難度を軽減し、製造組立てコストを低減して、可動ロッド２が恒常的に移動する状況で、弾性部材４を常にケース本体１に保持して、弾性部材４に滑落や脱落が起きる可能性を大幅に低下させることができる。可動ロッド２が弾性部材４に対向して移動すると、位置決め構造２１０は位置決めストッパー４０に効果的に対向して移動して位置決めをすることができ、本考案に係る工業用ケース内のパネルのラッチを解除してオープンにしたり、ロックしてクローズにしたり電源をオンにしたりする動作を達成する。
【００２１】
同時に、前記推進部材２１６の強化構造設計により、可動ロッド２の構造強度を高めることで、可動ロッド２がラッチ部材３を効果的に後押しする。また、弾性部材４の補強用固定プレート４１の構造によって、構造全体の強度を強化して変形が起きないようにする。
【００２２】
図６から図８は、本考案によるケース型カードモジュールのラッチ装置を組合せて、解除してオープンにし、ロックしてクローズにし、また電源をオンにしたりする等の状態にした図面である。
【００２３】
図６のように、前記可動ロッド２の作動ロッド部２１が前記ケース本体１に対向してオープン距離Ａまで移動すると、前記位置決めストッパー４０と前記位置決め構造２１０（図２）の組合せにより、前記可動ロッド２をオープン位置に限定すると共に、前記推進構造２１５の推進部材２１６の動き（図１）により、前記弾性部材５は圧縮されて（図５）、前記ラッチ部材３を間接的に後押しして前記収納溝１１内まで回転することで、前記ラッチ部材３は解除オープン状態となる。
【００２４】
図７のように、前記可動ロッド２の作動ロッド部２１が前記ケース本体１に対向してロック距離Ｂまで移動すると、前記位置決めストッパー４０と前記位置決め構造２１０（図２）の組合せにより、前記可動ロッド２をロック位置に限定すると共に、前記弾性部材５（図５）の弾性による伸張により、前記ラッチ部材３を前記収納溝１１から引き離すと、前記ラッチ部材３はロッククローズ状態となる。
【００２５】
図８のように、前記可動ロッド２の作動ロッド部２１が前記ケース本体１に対向して電源距離Ｃまで移動すると、前記位置決めストッパー４０と前記位置決め構造２１０（図２）の組合せにより、前記可動ロッド２を電源位置に限定すると共に、前記作動ロッド部２１の推進構造２１５の推進部材２１６（図５）が、工業用ケースのパネルスイッチに抵触することにより、パネルを電源オン状態とする。上記を総合すると、本考案には下記の特徴がある。
【００２６】
（１）固定溝と固定構造の組合せにより、弾性部材をケース本体に安定的に設置して可動ロッドを通路内に制限して、効果的に可動ロッドを前記通路の特定位置に限定する。可動ロッドを弾性部材に対向して移動させてパネルのオープン、ロック及び電源状態の動作を達成する。
【００２７】
（２）効果的に工業用ケースのパネルの解除、ロック及び電源オン動作を行うと共に、ケース型カードモジュールのラッチ装置の組立て作業時の難度を低下させることで、製造組立てコストを低減することができる。
【００２８】
（３）可動ロッドが恒常的に移動するか否かに拘らず、弾性部材は前記ケース本体に保持されて滑落や脱落の可能性を大幅に低下させることができる。
【００２９】
（４）ラッチ部材の作動表面に傾斜角度をつけた設計により、弾性部材の弾性力が圧縮したり伸張したりすることで、ラッチ部材を回転させる際、効率的且つスムースに前記収納溝内に収納したり、そこから引き離したりして、弾性部材とラッチ部材の動作に死角が生じる可能性を回避する。
【００３０】
（５）前記可動ロッドの推進構造を強化して、可動ロッドの構造強度を高め、可動ロッドが効果的にラッチ部材を後押しして、ラッチ装置の解除やロック動作を確保する。
（６）弾性部材に補強プレート構造を形成して、構造全体の強度を強化し、恒常的に使用する過程で構造変形が起きる状況を回避する。
【００３１】
以上の記載内容は、本考案の最適な実施例による詳細な説明と図面であるが、本考案の特徴は上記に限定されないと同時に、本考案を制限するためのものではなく、本考案のあらゆる範囲は実用新案登録請求の範囲を基準とし、本考案に係る実用新案登録請求の範囲に合致する精神及びその類似変化した実施例は、全て本考案の範囲内に含まれるものとし、当業者が本考案の分野で容易に思いつく変化や修飾は何れも本願請求の範囲に含まれるとする。
【符号の説明】
【００３２】
１        ケース本体
１０      通路
１１      収納溝
１２      固定溝
１３      枢設孔
２        可動ロッド
２０      取っ手部
２１      作動ロッド部
２１０    位置決め構造
２１１    隆起弧面
２１２    第1隆起エリア
２１３    第２隆起エリア
２１４    第３隆起エリア
２１５    推進構造
２１６    推進部材
２１６１  第１構造面
２１６２  第２構造面
２１６３  第３構造面
２１７    溝
３        ラッチ部材
３０      ラッチ部
３００    作動表面
３１      枢設部
３１０    回転ピボット
３１１    回転ピボット
４        弾性部材
４０      位置決めストッパー
４００    隆起構造
４１      補強用固定プレート
４２      固定構造
５        弾性部材
Ａ        オープン距離
Ｂ        ロック距離
Ｃ        電源距離
【図１】
0003149436.tif 000003
【図２】
0003149436.tif 000004
【図３】
0003149436.tif 000005
【図４】
0003149436.tif 000006
【図５】
0003149436.tif 000007
【図６】
0003149436.tif 000008
【図７】
0003149436.tif 000009
【図８】
0003149436.tif 000010